(57)【特許請求の範囲】
【請求項１】
一つの軸線と軸線方向に隔置された前方端及び後方端と前記端の間にある放射方向外側周辺壁とを有し前記前方端がそれを貫通する開口部を有している回転可能なケーブル保存ドラムと、前記端と前記外側壁との間にて前記軸線周りに前記ドラム内に巻かれており前記外側壁に摺動可能に係合する内端及び前記開口部を通り清浄されるべきドレンまで延在するための外端とを有するドレン清浄ケーブルとを含むドレン清浄装置であって、前記ケーブルの前記内端上に、前記外側壁と摩擦的に係合し前記ドラムに対する前記ケーブルの摺動を抑制するためのトルクアームを含むドレン清浄装置。
【請求項２】
請求項１によるドレン清浄装置であって、前記トルクアームが前記ケーブルの前記内端上に取外し可能に装着されているドレン清浄装置。
【請求項３】
請求項１によるドレン清浄装置であって、前記ケーブルの前記内端が前記ドラムの前記後方端に隣接しており、前記トルクアームが前記ケーブルの前記内端から前記ドラムの前方端まで軸線方向に延在する脚部を含んでいるドレン清浄装置。
【請求項４】
請求項３によるドレン清浄装置であって、前記トルクアームが前記ケーブルの前記内側端において前記ドラムの内方に放射方向に延在し前記ドラムの前記後方端に係合する指部を含んでいるドレン清浄装置。
【請求項５】
請求項４によるドレン清浄装置であって、前記トルクアームが前記ケーブルの前記内側端上に取外し可能に装着されているドレン清浄装置。
【請求項６】
請求項１によるドレン清浄装置であって、前記トルクアームが装着端と、前記ケーブルの前記内側端上に取外し可能に前記装着端を取付けるための手段とを有しているドレン清浄装置。
【請求項７】
請求項６によるドレン清浄装置であって、前記装着端が、一つの軸線を有するケーブル開口部にして前記ケーブルの前記内端がその中に存在しているケーブル開口部を提供する手段と、前記ケーブル開口部内にある前記ケーブルの前記内端に解放可能に係合するための留め具手段とを含でいるドレン清浄装置。
【請求項８】
請求項７によるドレン清浄装置であって、前記ケーブル開口部を提供する前記手段が前記ケーブルの前記内端周りに延在するカラーを含み、前記留め具手段が前記ケーブル開口部の放射方向に前記カラーを貫通するねじの切られた開口部と前記ねじの切られた開口部内にあって前記ケーブルの前記内端に対して放射方向に係合するための内端を有するねじの切られた留め具部材とを含んでいるドレン清浄装置。
【請求項９】
請求項７によるドレン清浄装置であって、前記トルクアームが金属製板材からなり、前記装着端がＵ字形状であり橋渡し部分とそれから互いに平行に延在する第一及び第二の脚部とを含み、前記ケーブル開口部を提供する前記手段が前記橋渡し部分と前記第一及び第二の脚部の間にて延在しそれらへ固定されているブロック部材とを含み、前記留め具手段が前記ケーブル開口部の前記軸線の放射方向に前記ブロック部材を貫通するねじの切られた開口部と前記ねじの切られた開口部内にあって前記ケーブルの前記内端に対して放射方向に係合するための内端を有するねじの切られた留め具部材とを含んでいるドレン清浄装置。
【請求項１０】
請求項９によるドレン清浄装置であって、前記第一及び第二の脚部のうちの一方が前記ドラムの前記外側壁に隣接しており、前記ドラムの前方に軸線方向に前記ブロック部材から前記ドラムの前記前方端まで延在しているドレン清浄装置。
【請求項１１】
請求項１０によるドレン清浄装置であって、前記装着端が前記橋渡し部分から前記ドラムの内方に放射方向に延在し、前記ドラムの前記後方端に係合する指部を含んでいるドレン清浄装置。
【請求項１２】
請求項１１によるドレン清浄装置であって、前記第一及び第二の脚部のうちの他方が前記ケーブル開口部の軸線について軸線方向に隔置された一対の脚部材を含んでおり、前記指部が軸線方向について前記脚部材の間にあるドレン清浄装置。
【請求項１３】
請求項１２によるドレン清浄装置であって、各々の脚部材が外端を有し、前記ブロック部材が前記脚部材の外端及び前記一方の脚部に対して係合しろう付けされているドレン清浄装置。
【請求項１４】
請求項９によるドレン清浄装置であって、前記第一及び第二の脚部のうちの一方が前記ドラムの前記外側壁に隣接しており、前記ドラムの前方に軸線方向に前記ブロック部材から前記ドラムの前記前方端まで延在しているドレン清浄装置。
【請求項１５】
請求項１４によるドレン清浄装置であって、前記トルクアームが更に前記ケーブル開口部から前記ドラムの内方に放射方向に延在し前記ドラムの前記後方端に係合する指部を含んでいるドレン清浄装置。
【請求項１６】
請求項１５によるドレン清浄装置であって、前記ケーブル開口部を提供する前記手段が前記脚部及び前記指部の間にカラー手段を含み、前記留め具手段が前記ケーブル開口部の放射方向に前記カラーを貫通するねじの切られた開口部と前記ねじの切られた開口部内にあって前記ケーブルの前記内側端に対して放射方向に係合するための内側端を有するねじの切られた留め具とを含んでいるドレン清浄装置。
【請求項１７】
枠と、一つの軸線と軸線方向に隔置された前方端及び後方端と前記端の間にある放射方向外側周辺壁とを有し前記前方端がそれを貫通する開口部を有している回転可能なケーブル保存ドラムと、前記枠上に前記ドラムを前記軸線周りに回転できるよう支持する手段と、前記枠上にて前記ドラムを回転するための手段と、前記端と前記外側壁との間にて前記軸線周りに前記ドラム内に巻かれており前記外側壁に摺動可能に係合する内端及び前記開口部を通り清浄されるべきドレンまで延在するための外端とを有するドレン清浄ケーブルと、前記ケーブルの前記内端上にあって前記外側壁と摩擦的に係合し前記ドラムに対する前記ケーブルの摺動を抑制するためのトルクアームと、前記開口部の外方にあって前記軸線周りの前記ドラム及び前記ケーブルの回転中に前記ドラムに対して前記ケーブルを軸線方向に選択的に変位するための手動的に作動可能なケーブル送り装置とを含むドレン清浄装置。
【請求項１８】
請求項１７によるドレン清浄装置であって、前記枠が前記開口部に外方に隣接した枠部分と、前記枠部分上に前記ケーブル送り装置を装着するための手段とを含んでいるドレン清浄装置。
【請求項１９】
請求項１８によるドレン清浄装置であって、前記送り装置がハウジング軸線を有するハウジングにして該ハウジングを軸線方向に貫通し前記ケーブルを受容する通路を有するハウジングと、前記ハウジング上に支持されたケーブル駆動ロール手段と、前記ケーブル駆動ロール手段に対して前記ケーブルを放射方向に変位するための前記ハウジング上に支持され放射方向に内側端及び外側端を有する駆動動作手段と、前記外側端に係合し前記ケーブルに対して前記駆動動作手段を放射方向に変位するための前記ハウジング上に枢着されたレバー手段とを含んでいるドレン清浄装置。
【請求項２０】
請求項１９によるドレン清浄装置であって、前記送り装置が更に前記通路の外方に放射方向に前記駆動動作手段を偏倚するための手段を含んでいるドレン清浄装置。
【請求項２１】
請求項２０によるドレン清浄装置であって、前記ケーブル駆動ロール手段が前記開口部に対して放射方向に固定された駆動ロール軸線周りに回転できるように前記ハウジング上に各々装着された一対のケーブル駆動ロールを含んでいるドレン清浄装置。
【請求項２２】
請求項２１によるドレン清浄装置であって、前記駆動動作手段が、その前記内側端を提供し動作ロール軸線周りに回転可能な駆動動作ロールを含んでいるドレン清浄装置。
【請求項２３】
請求項２２によるドレン清浄装置であって、前記駆動ロール軸線と前記動作ロール軸線の各々が前記ハウジング軸線に対して傾いており、前記ケーブル駆動ロールと前記動作ロールの各々が滑らかな外表面を有しているドレン清浄装置。
【請求項２４】
請求項２３によるドレン清浄装置であって、前記枠部分上に前記送り装置を装着するための前記手段が、前記枠部分上の装着ブラケットと、前記装着ブラケットと前記ハウジングとを取外し可能に相互に接続する留め具手段とを含んでいるドレン清浄装置。
【請求項２５】
請求項１８によるドレン清浄装置であって、前記枠部分上に前記送り装置を装着するための前記手段が、前記枠部分上の装着ブラケットと、外端及び前記装着ブラケットに固定された内端を軸線方向に有する可撓性案内管と、前記ケーブル送り装置を前記外端上に装着するための手段とを含んでいるドレン清浄装置。
【請求項２６】
請求項２５によるドレン清浄装置であって、前記案内管がエラストマー材料のホースであるドレン清浄装置。
【請求項２７】
請求項２６によるドレン清浄装置であって、前記送り装置がハウジング軸線を有するハウジングにして該ハウジングを軸線方向に貫通し前記ケーブルを受容する通路を有するハウジングと、前記ハウジング上に支持されたケーブル駆動ロール手段と、前記ケーブル駆動ロール手段に対して前記ケーブルを放射方向に変位するための前記ハウジング上に支持され放射方向に内側端及び外側端を有する駆動動作手段と、前記外側端に係合し前記ケーブルに対して前記駆動動作手段を放射方向に変位するための前記ハウジング上に枢着されたレバー手段とを含んでいるドレン清浄装置。
【請求項２８】
請求項２７によるドレン清浄装置であって、前記ケーブル送り装置を装着するための前記手段が、前記ホースに取付けられる結合手段と、前記送り装置が前記ホースに対して回転可能となるように前記結合手段と前記ハウジングとを相互に係合する手段とを含んでいるドレン清浄装置。
【請求項２９】
請求項２７によるドレン清浄装置であって、前記ホースが外端を有し、前記案内管が外側端と前記ホースの前記外端へ接続された内側端とを有する管状手持ち柄と、前記送り装置が前記手持ち柄に対して回転可能となるように前記手持ち柄の前記外側端と前記ハウジングとを相互に係合する手段とを含んでいるドレン清浄装置。
【請求項３０】
枠と、ドラム軸線周りに回転するよう前記枠上に支持されたケーブルドラムにして軸方向に隔置された前方端及び後方端と前記前方端を貫通する開口部とを有するドラムと、前記軸線周りに前記ドラム内に巻かれ前記開口部を通って清浄されるべきドレンまで延在するための端を有するドレン清浄ケーブルと、前記ドラムとケーブルとを回転するための前記枠上に支持された駆動モーターと、前記開口部に外方に隣接して前記枠に含まれる枠部分と、前記ケーブルの前記端を受容するための案内管にして前記枠部分上に装着された内端と前記枠部分から隔置された外端とを有し前記外端を清浄されるべきドレンへ案内するために前記内端と外端との間が可撓性になっている案内管と、前記案内管の前記外端上にあって前記ドラム軸線周りの前記ドラム及びケーブルの回転の間に前記ドラムに対して前記ケーブルを選択的に軸線方向に変位するための手動的に作動可能なケーブル送り装置とを含むドレン清浄装置。
【請求項３１】
請求項３０によるドレン清浄装置であって、前記送り装置がハウジング軸線を有するハウジングにして該ハウジングを軸線方向に貫通し前記ケーブルを受容する通路を有するハウジングと、前記ハウジング上に支持されたケーブル駆動ロール手段と、前記ケーブル駆動ロール手段に対して前記ケーブルを放射方向に変位するための前記ハウジング上に支持され放射方向に内側端及び外側端を有する駆動動作手段と、前記外側端に係合し前記ケーブルに対して前記駆動動作手段を放射方向に変位するための前記ハウジング上に枢着されたレバー手段とを含んでいるドレン清浄装置。
【請求項３２】
請求項３１によるドレン清浄装置であって、前記送り装置が更に前記通路の放射方向外方に前記駆動動作手段を偏倚するための手段を含んでいるドレン清浄装置。
【請求項３３】
請求項３２によるドレン清浄装置であって、前記ケーブル駆動ロール手段が前記開口部に対して放射方向に固定された駆動ロール軸線周りに回転できるように前記ハウジング上に各々装着された一対のケーブル駆動ロールを含んでいるドレン清浄装置。
【請求項３４】
請求項３３によるドレン清浄装置であって、前記駆動動作手段が、その前記内側端を提供し動作ロール軸線周りに回転可能な駆動動作ロールを含んでいるドレン清浄装置。
【請求項３５】
請求項３４によるドレン清浄装置であって、前記駆動ロール軸線と前記動作ロール軸線の各々が前記ハウジング軸線に対して傾いており、前記ケーブル駆動ロールと前記動作ロールの各々が滑らかな外表面を有しているドレン清浄装置。
【請求項３６】
請求項３０によるドレン清浄装置であって、更に前記枠部分上に装着ブラケットが含まれており、前記案内管が両端を有するエラストマー材料のホースを含み、前記案内管の前記内端が前記ホースの前記端のうちの一方の上にて前記ホースを前記装着ブラケットへ接続するための結合手段を含み、前記案内管の前記外端が前記ホースの他方端上にて前記ホースを前記送り装置へ接続するための手段を含んでいるドレン清浄装置。
【請求項３７】
請求項３６によるドレン清浄装置であって、前記送り装置がハウジング軸線を有するハウジングにして該ハウジングを軸線方向に貫通し前記ケーブルを受容する通路を有するハウジングと、前記ハウジング上に支持されたケーブル駆動ロール手段と、前記ケーブル駆動ロール手段に対して前記ケーブルを放射方向に変位するための前記ハウジング上に支持され放射方向に内側端及び外側端を有する駆動動作手段と、前記外側端に係合し前記ケーブルに対して前記駆動動作手段を放射方向に変位するための前記ハウジング上に枢着されたレバー手段とを含んでいるドレン清浄装置。
【請求項３８】
請求項３７によるドレン清浄装置であって、前記結合手段が第一の結合手段であり、前記ホースの他方の端上の前記手段が、第二の結合手段と、前記送り装置が前記ホースに対して回転可能となるように前記第二の結合手段と前記ハウジングとを相互に結合する手段とを含んでいるドレン清浄装置
【請求項３９】
請求項３８によるドレン清浄装置であって、前記ハウジングが軸線を有し前記第二の結合手段を軸方向に受容する管状端部分を含み、前記第二の結合手段と前記ハウジングとを相互に接続する前記手段が前記第二の結合手段内にて前記端部分の前記軸線と同軸になっている周辺窪みと前記窪み内へ前記端部分の放射方向内方へ延在する複数のピンとを含んでいるドレン清浄装置。
【請求項４０】
請求項３９によるドレン清浄装置であって、前記ケーブル駆動ロール手段が前記開口部に対して放射方向に固定された駆動ロール軸線周りに回転できるように前記ハウジング上に各々装着された一対のケーブル駆動ロールを含み、前記駆動動作手段がその前記内側端を提供し動作ロール軸線周りに回転可能な駆動動作ロールを含んでいるドレン清浄装置。
【請求項４１】
請求項４０によるドレン清浄装置であって、前記駆動ロール軸線と前記動作ロール軸線の各々が前記ハウジング軸線に対して傾いており、前記ケーブル駆動ロールと前記動作ロールの各々が滑らかな外表面を有しているドレン清浄装置。
【請求項４２】
請求項３７によるドレン清浄装置であって、前記ホースの他方の端上の前記手段が外側端と前記ホースの他方の端へ接続された内側端とを有する管状手持ち柄と、前記送り装置が前記ホースに対して回転可能となるように前記手持ち柄の前記外側端と前記ハウジングとを相互に接続する手段とを含んでいるドレン清浄装置。
【請求項４３】
請求項４２によるドレン清浄装置であって、前記ハウジングが軸線を有し前記手持ち柄の前記外側端を軸方向に受容する管状端部分を含み、前記手持ち柄の前記外側端と前記ハウジングとを相互に接続する前記手段が前記手持ち柄の前記外側端にて前記端部分の前記軸線と同軸になっている周辺窪みと前記窪み内へ前記端部分の放射方向内方へ延在する複数のピンとを含んでいるドレン清浄装置。
【発明の詳細な説明】
【０００１】
【発明の属する技術分野】
本発明は、ドレン清浄装置の分野に係り、より詳細には、係る装置のドレン清浄ケーブルにトルクを伝達すること及び清浄されるべきドレン又は廃棄管路内へケーブルを案内し送ることに関連した改良に係る。
【０００２】
【従来の技術】
本発明が適用される特徴のドレン清浄装置は、概ね、モーター駆動されるへび又はドレン清浄ケーブルドラムが設けられており、そのドラムにおいてドレン清浄ケーブルはドラムの軸線周りに巻かれており、そのドラムと共に回転可能である。ドラムは、開口した前方端を有し、そこを通ってケーブルの自由端又は外端が清浄されるべきドレン内へ入れられるべく延びる。ドラムの回転によってケーブルへ伝達されるトルクを最適化するために、ケーブル案内管がドラム内に設けられたり、ケーブルの内側端がドラムへ固定される。案内管の構成は、構造的に複雑であり、ドラム内に幾分か複雑な装着部を必要とし、ケーブルクランプは、ドラムを貫通する装着穴を必要とし、この穴により、ドラムに対して漏水が生ずる。これらの従前の問題を、案内管を除去することにより又はケーブルの内端をドラムに取り付けないようにすることにより回避することが好ましいが、そうすると、ケーブルとドラムとの間の滑りによってドラムによるケーブルへのトルクの伝達が制限され、かくして、装置によって解消される又は清浄できる詰まりの大きさが制限される。
【０００３】
上記の装置におけるへび又はドレン清浄ケーブルは、慣用的には、緊密に巻かれたばねワイヤから成る細長い可撓性部材であり、その自由端又は外側端は、ドラムから引っ張られる又はドラムへ押し戻されるよう適合されており、ケーブルは、使用していない間には、ドラム内に保存される。多くのこのような装置においては、廃棄管内へ更に長く継続してケーブルを送るため又は異なる直径のドレン清浄ケーブルを装置と共に使用するために、ケーブルを更に接続することを容易にするべく、ドラム又はドラム内のケーブル・カートリッジが除去できるようになっている。しばしば、前記の特徴のドレン清浄器には、ケーブルがケーブルドラムハウジングに対して手動的に引かれたり押されたりできることだけなく、操作者が、清浄されるべきドレン又は廃棄管の入口に向けてケーブルを案内できるようにケーブルを手動的に曲げたり撓ませたりできるようになっていることが要求される。操作者は手袋を着用し、彼又は彼女の手を汚れから或いはドレン清浄ケーブルとの摩擦的接触から保護することができるが、このような保護は、手袋がなければ得られず、如何なる場合においても、ケーブルを或る状態まで引張ること、押すこと及び撓ませることは、操作者にとって不便である。
【０００４】
【発明が解決しようとする課題】
従って、本発明の顕著な目的は、モーター駆動される保存ドラムを含むことを特徴とするドレン清浄装置であってドレン清浄ケーブルがドラムの軸線の周りに巻かれ、清浄されるべきドレン又は廃棄管内へ入れられるべくドラムの外方に延在する自由端又は外端を有しているドレン清浄装置に関連した改良を提供することである。
【０００５】
もう一つの目的は、前記の特徴のドレン清浄装置であって、ドラム内に巻かれたドレン清浄ケーブルの内端がドラムから分離されており且ドラムに摩擦的に相互に係合するための構成が設けられ、今まで利用可能であった、ケーブルの内側端がドラムから分離されている装置に比べてケーブルへのトルクが増大されているドレン清浄装置を提供することである。
【０００６】
更にもう一つの目的は、前記の特徴のドレン清浄装置であって、ドレン清浄ケーブルの外端又は自由端が、操作者がケーブルに手を触れることなく、及び清浄されるべきドレン又は廃棄管路の入口へ向かって保存ドラムに対して変位されるドレン清浄装置を提供することである。
【０００７】
更にもう一つの目的は、前記の特徴のドレン清浄装置であって、手動的に作動可能なドレン清浄ケーブル送り装置がドレン清浄装置に単独で又は可撓性案内管の使用を介して選択的に取付け可能であり、かくして、操作者によるドレン清浄装置の使用に関して多様性が促進され、保存ドラムに対するケーブルの伸長及び引込みと、清浄されるべきドレンの入口端へのケーブルの案内とが、操作者がケーブルに手を触れることなく行えるドレン清浄装置を提供することである。
【０００８】
更にもう一つの目的は、前記の特徴のドレン清浄装置であって、今まで利用可能であった同様の装置よりも使い易く、ドレン又は廃棄管清浄作業を達成することに関して更に効率的であるドレン清浄装置を提供することである。
【０００９】
【課題を解決するための手段】
本発明によれば、モーター駆動されるドレン清浄装置に見られる前記又はその他の問題が最小化又は解決される改良が提供される。本発明の一つの局面によれば、ドラムから分離された内端を有するケーブルへケーブル保存ドラム又はカートリッジから伝達されるトルクが以前に得られていたものよりも顕著に増加される。この点に関し、保存ドラム又はカートリッジ内のドレン清浄ケーブルの内端には、保存コンテナの内側表面に摩擦係合してそれらの間の滑りを妨げ、かくして装置の作動中においてケーブルへ伝達されるトルクを増大する取り付け部が設けられる。
【００１０】
本発明のもう一つの局面によれば、ドレン清浄ケーブルの外端又は自由端は可撓性の案内管を通って延在しており、案内管には、その外側端において保存ドラムから及び該ドラムへケーブルを送るための手動的に作動可能な装置が設けられ、かくして、操作者がドラムに対してケーブルを手動的に引いたり押したりしなければならないということが回避される。更に、案内管が可撓性を有することにより、有利に、操作者は、ケーブルの自由端を清浄されるべきドレン又は廃棄管内へ向かわせることができるようになり、ドレン開口部内へケーブルを入れること及び清浄作業中においてケーブルを前進させることの双方とも、操作者がケーブルに手を触れる必要なく達成される。従って、ドレン清浄装置は、今まで利用可能であったものよりも使いやすく、清浄作業は、可撓性案内管及びケーブル送り要素によって今まで可能であったよりも更に迅速に且効率的に達成される。好ましくは、可撓性案内管及びケーブル送り装置は、又は、ケーブル送り装置が単独で、ドレン清浄ケーブルと共に使用されるべくドレン清浄装置上に選択的に装着可能であり、これにより、装置の使用に関連して操作者に利用可能なオプションに関して多様性が提供される。
【００１１】
前記の目的及びその他は、添付の図面に描かれた本発明の好ましい実施例の記載に関連して以下において部分的に明らかになり、部分的に更に完全に指摘されるであろう。
【００１２】
【発明の実施の形態】
本発明の好ましい実施例（ただし、本発明を限定するものではない。）を示す図面を詳細に参照して、図１及び２は、枠１２を含むドレン清浄装置１０を示す。枠１２は、ケーブルドラム組立体１４を、それがケーブルドラム軸線Ａ周りに回転できるよう支持する。枠１２は、横方向に隔置された脚部１６を有する管状の金属性基台部分を含む。脚部１６は、それらの前方端において、脚部１６に対して上方及び前方に傾いたＵ字形状の橋渡し部分１８によって相互に接続されている。更に枠１２には、枠の基台の部分の脚部１６にろう付けされてそれらから上方へ延在する横方向に隔置された脚部２０を有し又その脚部の上方端の間に橋渡し部分２２を有する逆Ｕ字形状の管状金属性枠部材と、脚部２０の間にて延在しそれらにろう付け又はその他の方法で該脚部２０に固定された装着及び支持板２４とが含まれている。ケーブルドラム組立体１４は、軸線Ａ周りに回転できるように板２４上にろう付けされた軸受支持部材２６と、部材２６の軸方向についての両端に受容される軸受スリーブ２８及び３０と、軸受スリーブによって回転可能に支持されて以下に示されるようにドラム組立体に接続されたドラムシャフト３２とによって板２４上に支持されている。ドラムシャフト３２は、モーターシャフト３８上に装着されてそれによって駆動されるプーリー３６、ドラムシャフト３２の内側端上に装着されてドラムシャフトを回転するようにフラットなどによってそこに相互に接続されたプーリー４０、及び、プーリー３６及び４０の周りに巻かれた無限ベルト４２を含むプーリー及び無限ベルトユニットを介して、可逆モーター３４によって駆動されるように適合されている。モーター３４は、複数のボタンヘッドねじ４６によってモーター装着板４４に取付けられ、装着板４４は、キャリエッジボルト４８及び５０によって枠の装着及び支持板２４へ固定されている。駆動モーター、プーリー及び駆動ベルトは、複数のねじ留め具５４によって支持板２４へ取り付けられたハウジング５２内に収納されており、ハウジング５２は、モーター３４を制御するためのトグルスイッチユニット５６と、ＡＣ電源へ接続するためのモーター電力コード６０が通って伸びている可撓性の保護スリーブ５８とを支持する。好ましくは、枠１２には、ハウジング５２よりも後方に延在しドレン清浄装置を担持するのに用いるハンドル６２が含まれている。
【００１３】
ケーブルドラム組立体１４は、前方及び後方ケーブルドラムハウジング部材６４及び６６と、中間ケーブルカートリッジ６８とを含む。図３に示されているように、カートリッジ６８の中には、ドレン清浄へび又はケーブルが軸線Ａ周りに巻かれている。後方ハウジング部材６６は、ハブ７２を含んでいる。ハブ７２は、内端又は後方端において内部にねじが切られており、ドラムシャフト３２のねじの切られた軸線方向外端３２ａと相互に係合し、シャフト３２上にケーブルドラム組立体を該シャフトと共に回転できるように装着する。後方ハウジング６６は、更に、ハブ７２内の開口を通ってドラムシャフト３２へ向かってドラムシャフトの端３２ａ内のねじの切られた孔内へ延在する平坦頭部ねじ７３によってドラムシャフト３２へ固定される。また更に、後方ハウジング部材６６は、カートリッジ６８の外側周縁にある窪み７６に軸線方向に摺動可能に相互に係合する放射方向内側に延在するリブ７４を含んでおり、リブ７４は、カートリッジ６８がハウジング部材６６と共に回転できるようにカートリッジ６８とハウジング部材６６とを係合する。カートリッジ６８は、後方ハウジング部材６６内で軸線方向について保持されており、これは、リブ７４の外端内の複数の頭部を有する留め具７８と、前方ハウジング部材６４上に装着され留め具７８のための差込みスロットを提供するドラムクリップ７９とにより、前方ハウジング部材６４を後方ハウジング部材６６に固定することによって達成されている。前方ハウジング部材６４は前方に延在するハブ８０を有し、出口カラー８２が組みねじ（符号で示されていない）によってハブ８０に固定される。ケーブル７０は、カートリッジ６８からそのハブ及び出口カラーを通って延在しており、清浄されるべきドレン又は廃棄管路内へ入るための自由端又は外端８４を有する。従って、ハブ及び出口カラーは、ケーブルドラム組立体１４の前方における開口を提供し、その開口を通って、ドレン清浄ケーブルの自由端が清浄されるべきドレン内に入れられるよう延在するということが理解されるであろう。
【００１４】
図に描かれている実施例において、図３によりよく示されているように、ケーブルドラムカートリッジ６８は、外側周辺壁８６と、それから放射方向内方へ延在する周辺壁８８及び外側壁８６から放射方向内方へ隔置されており且軸方向前方に延在して円錐形状の前方端壁９２で終わる周辺壁９０によって郭定される閉じた内側端又は後方端と、外側壁８６から放射方向内方へ延在する周辺壁９４によって郭定された前方端とを含む。壁９４の放射方向内側端は、円錐状壁９２から外方に隔置されて、周辺開口９６を提供しており、これを通ってケーブル７０が、ドラム組立体のハブ８０及び出口カラー８２を通過するべく延在する。図３から更に明らかなように、ケーブル７０は、カートリッジ内で軸線Ａ周りにカートリッジの前方端及び後方端の間にて巻き付けられ、ケーブルを構成している金属バネの偏倚の結果として、放射方向外方に偏倚されてカートリッジの壁８６に押し付けられる。
【００１５】
本発明の一つの局面によれば、図３及び４に最も良く示されているように、ケーブル７０の内端９８は、カートリッジハウジングの外側壁８６及び後方壁８８の連結部分に隣接して置かれており、以下において示されるように、係る内端９８には、ドレン清浄装置の作動中においてドラム組立体の回転に応答してケーブル７０へ与えられるトルクを増大するべく作動するトルクアーム１００が設けられている。例示されている実施例において、トルクアーム１００は、冷間圧延された鋼鉄の細片から構成されており、係るトルクアームをケーブルの端９８に取付けるため装着端１０２を有する。より詳細には、トルクアームは、装着端１０２から延在する細長い平坦な第一の脚部１０４を含み、装着端１０２は、一対の第二の脚部１０６によって郭定されており、これらの各々は、脚部１０４に平行であり、Ｕ字状の橋渡し部分１０８により脚部１０４へ一体的に接続されている。橋渡し部分１０８は、トルクアームの装着端１０２に軸線１１０を設定しており、係る軸線に関連して脚部１０６は互いに隔置され、好ましくは、トルクアームは、更に、軸線方向についての脚部１０６と橋渡し部分１０８との間に指部１１２を含み、その指部は、第一の脚部１０４と一体であり且それに対して垂直であり、橋渡し部分１０８に対しては接線方向に延在する。ナット又はその他のブロック部材１１４が、第一の脚部１０４及び第二の脚部の自由端の間にて延在し、溶接物１１６などによってそこにしっかりと固定される。ブロック１１４には、軸線１１０の放射方向にブロック１１４を貫通して延在するねじの切られた開口１１８が、組ねじの如きねじの切られた留め具１２０を受容するために設けられており、これにより、トルクアームは、ドレン清浄ケーブルの端９８上に取外し可能に装着される。理解されるように、脚部１０６、橋渡し部分１０８及びブロック１１４は、トルクアームの装着端１０２上のカラーを郭定し、ケーブルの端９８をしっかりと受容して囲繞すると共に軸線１１０を提供する。
【００１６】
図３から明らかになるように、トルクアームの脚部１０４は、カートリッジハウジングの外側壁８６に隣接し、外側壁８６と後方壁８８との間の連結部分から係る外側壁と前方壁９４との間の連結部分に隣接した点まで延在する。トルクアームは、カートリッジハウジング内のケーブル７０の弾力的な巻き付け状態の作用により放射方向外方へ偏倚され、脚部１０４の前縁１０４ａからトルクアームの装着端１０２における橋渡し部分１０８に至るまでの脚部１０４の長さ方向に沿って外側壁８６に摩擦的に係合する。指部１１２は、装着端１０２から放射方向内方へ延在し、指部の上方又は放射方向内側縁１１２ａに沿ってカートリッジハウジングの後方壁８８に係合する。従って、理解されるように、トルクアーム１００は、ドレン清浄作業においてドレン又は廃棄管内に配置されたへびの先端が障害物又は同様のものに遭遇する際に、ドレン清浄作動に関連したケーブルドラム組立体及びカートリッジハウジング６８の回転に応答するカートリッジハウジングに対するケーブル７０摺動を抑制する。指部１１２は、摺動に対する抵抗に寄与するが、その主要な目的は、ケーブルによる脚部１０４上の放射方向外方の偏倚が低減された場合、例えば、ケーブルがカートリッジハウジングからほぼ完全に伸長された場合などに、図３において軸線１１０の周りの時計回り方向の枢動を抑えてトルクを安定化することである。
【００１７】
例示された実施例において、トルクアームを構成する冷間圧延された鋼鉄細片は、０．１５ｃｍ（０．０６インチ）の厚み、１．９ｃｍ（０．７５インチ）の幅及び６．３５ｃｍ（２．５０インチ）の長さ（軸線１１０から脚部１０４の縁１０４ａまで）を有する。更に、橋渡し部分１０８の湾曲部分は、軸線１１０について０．５６ｃｍ（０．２２インチ）の半径を有し、指部１１２は、軸線１１０から指部の縁１１２ａまでの長さが１．７５ｃｍ（０．６９インチ）である。脚部１０６の各々及び指部１１２は、軸線１１０の方向について０．６３５ｃｍ（０．２５インチ）の幅を有する。上記の構造を有するケーブルドラムにおいて、端９８に対応するドレン清浄ケーブルの内端がカートリッジハウジングに取付けられておらず、トルクアームにもカートリッジハウジングに取付けられていない場合、出口カラー８２に隣接してケーブルの自由端が回転しないように保持されている状態で、ドレン清浄ケーブルとカートリッジハウジングとの間の滑りは、０．５６５−１．１３Ｎ・ｍ（５−１０ｉｎ−ｌｂｓ）の間のトルクで生ずる。対照的に、前記の構造のトルクアームがケーブルの内端へ取付けられている場合では、４．０Ｎ・ｍ（３５ｉｎ．−ｌｂｓ．）のトルクがカートリッジハウジングによりケーブルへ与えられるまで滑りは生じない。
【００１８】
本発明のもう一つの局面においては、図５及び６に示されているように、枠１２の基台のＵ字形状の部分１８は、ドラム組立体１４の前端を横切ってその出口カラー８２の下方にて水平に延在する部分１８ａを含み、手動的に作動可能なケーブル送り装置１２２が、装着ブラケット１２４によって枠部分１８ａ上に装着され、ドラム組立体１４に対して外方及び内方へケーブル７０を選択的に送ることを容易にする。ケーブル送り装置１２２は、１９９７年７月２８日付に出願された米国係属特許出願第９０１，６５３号に開示されたケーブル送り装置に構造的に及び機能的に対応する。ケーブル送り装置１２２はここに十分に記載されているが、前記の特許出願も更に構造の詳細について参照できるであろう。本明細書の図５及び６は、前記特許出願の図２及び４に各々対応する。
【００１９】
図５及び６に示されているように、ケーブル送り装置１２２は、ドレン清浄装置の軸線Ａに一致する軸線及び軸線方向に対抗する前端１２８及び後端１３０を有する管状ハウジング１２６を含む。ハウジング１２６は、軸線Ａを横切りケーブル７０を受容するための通路１３４を有する壁１３２を含んでいる。壁１３２は、その前側面上にロール装着節１３６を含み、送り装置は、ソケットヘッドキャップねじ１４２及び１４４によって節１３６上に各々装着された一対のケーブル駆動ロール１３８及び１４０を含んでいる。キャップねじは、各々対応する駆動ロールの回転の軸線を設定しており、各駆動軸線はハウジングの軸線に対して水平方向及び鉛直方向の双方について傾けられている。駆動ローラー１３８及び１４０は、各々、滑らかな外表面１４６及び１４８を有しており、それらが傾けて装着されていることによって、公知の、ドレン清浄ケーブル７０が回転されて駆動ロールに対して移動されるという態様でケーブル７０が駆動される。更に、ハウジング１２６は、放射方向に延在する孔１５０を含んでおり、孔１５０は、ケーブル通路１３４に開口した内側端を有する。この内側端は、駆動動作ロール支持部材１５２を含むケーブル駆動動作ユニットを摺動可能に且取り外し可能に受容する。支持部材１５２は、駆動動作ロール１５４がソケットヘッドキャップねじ１５６により装着されている放射方向内側端と、ロール支持部材１５２内におけるねじの切られた窪み内にねじの切られたステム１６０が受容されることにより作動ノブ部材１５８が装着されている軸線方向外側端（符号なし）とを有している。ねじ１５６は、駆動動作ロール１５４のついての軸線を設定する。作動ノブ部材１５８は、駆動動作ユニットの軸線方向の長さを調節するためにロール支持部材１５２に対して軸線方向に調節可能であり、圧縮ばね１６２が、孔１５０の放射方向外方端と作動ノブ部材１５８の下側との間のロール支持部材を囲繞し、駆動動作ユニットをハウジングの放射方向外方へ偏倚する。駆動動作ロール１５４は、滑らかな外方表面１６４を有し、図５から明らかなように、駆動ロール及びアクチュエータ駆動ロールは、軸線Ａの周りにおいて周辺方向に等しく隔置されている。更に、駆動動作ロール支持部材１５２は、駆動動作ロール１５４の軸線が軸線Ａに対して水平方向について傾けられるようにハウジング１２内において駆動動作ロール１５４を支持する。かかる傾きの角度は、好ましくは、駆動ロール１３８及び１４０の角度と同じであり、それは、好ましくは、水平方向及び鉛直方向の双方について３０°である。
【００２０】
送り装置１２２の駆動動作ユニットは、作動レバー１６６によってばね１６２の偏倚に対抗してハウジング１２６の放射方向内方に変位されるよう適合されている。作動レバー１６６は、装着脚部１６８とそれに垂直に延在するハンドル部分１７０を含む。ハウジング１２６の前方端には、一対のレバー装着耳部１７２が設けられている。レバーの装着脚部１６８は、それら耳部１７２の間に受容され、また、耳部１７２内の開口部に貫通して延在する枢軸ピン１７６を受容する丸められた管状下方端１７４を有している。枢軸ピン１７６は、軸線Ａを横切る方向であり且横方向に隔置されたレバー枢軸線を設定する。ハンドル部分１７０は、作動ノブ部材１５８の外表面をまたいで延在しており、指部１７８が設けられている。指部１７８は、ノブ部材の周辺外表面に摩擦的に係合し、孔１５０内に駆動動作ユニットを解放可能に保持し、駆動動作ロール支持部材１５２に対する作動ノブ部材の回転を抑制する。
【００２１】
上記の如く、ケーブル送り装置１２２は、装着ブラケット１２４によって枠部分１８ａ上に装着されるよう適合されている。図５及び６に見られるように、装着ブラケット１２４は、鉛直脚部１８０と、その下方から前方に延在する水平脚部１８２とを有するＬ字状ブラケット板を含む。水平脚部１８２は、枠部分１８ａ内の開口を上方へ貫通して延在する一対のボルト１８４などによって枠部分１８ａに固定される。ボルト１８４は、ブラケット板の脚部１８２上にろう付けされたナット１８５に係合した状態となる。脚部１８０には、軸線Ａと同軸の開口部１８６が設けられ、更に、装着ブラケットは、脚部１８０の前側上にてろう付けなどによって軸線Ａと同軸となるように装着された環状適合スリーブ１８８を含む。ケーブル送り装置のハウジング１２６の内側端１３０は、軸線方向に適合スリーブ１８８を受容し、ハウジングには、適合スリーブ１８８の放射方向外側において対応する孔１９２に整合されるよう適合された直径方向に対抗した一対の開口部１９０が設けられている。開口部１９０は、内部にねじが切られており、ボルト１９４のねじの切られた軸部を受容し、これにより、ハウジング１２６、従って送り装置１２２が取り外し可能にドレン清浄装置に装着可能となる。
【００２２】
送り装置の作動において、その構成要素の部分は、初めに図６に示されている位置にあり、ケーブル７０は、ケーブルドラム組立体の回転に応答してハウジング１２６に対して回転する。この時点では、動作駆動ロール１５４がケーブルからはずれているので、ケーブルに軸線方向の変位は生じない。レバー１６６のハンドル１７０が図６に示されている位置から時計回りに変位されると、駆動動作ロール１５４がケーブルに向かって放射方向内方へ変位され、図５に示されている如く、駆動ロール１３８及び１４０に向かってケーブルを変位する。ロールが傾いて置かれていることの結果として、ロールは、回転するケーブルと相互に係合してハウジング１２６の軸線に沿って、そのハウジングに対してケーブルをケーブルの回転方向に依存した方向に前進させる。この点に関し、一方の方向へのケーブルの回転は、ハウジングの前端１２８から軸線方向外方にケーブルを前進し、反対の方向へのケーブルの回転は、ハウジングの軸線方向内方にケーブルを引くこととなる。いずれの方向についてもケーブルの軸線方向の変位を停止することが望まれる際には、ハンドル１７０が解放され、ばね１６２が駆動動作ユニットを図６に示された位置に戻し、ロール１５４がケーブルと離れる。
【００２３】
図７及び８に示されているように、本発明の更にもう一つの局面によれば、ドレン清浄ケーブル送り装置１２２は、可撓性の案内管組立体１９６の外側端上に装着される。案内管組立体は、その内端が装着ブラケット１２４のアダプタ１８８へ取外し可能に接続されている。より詳細には、案内管１９６は、可撓性のホース１９８を含み、ホース１９８は、その両端において結合構成２００及び２０２を有し、これらは、各々可撓性案内管の軸線方向外端及び内端を提供する。結合構成２００は、ホース１９８の外端上に軸線方向に受容されホースの内側に軸線方向に延在する内側スリーブ２０６を含むフェルールと、中央フランジ２０９、該フランジの一方の側にあってフェルール２０４を受容する窪み２１０及び該フランジの他方の側にあり外側にねじの切られたスリーブ２１２を有する接続部材２０８とを含む。更に、結合構成２００は、グランドリング２１４及び圧縮ナット２１６を含み、これにより、フェルール２０４及び対応するホース１９８の端部は接続部材２０８へ取り付けられる。そして、一方の端において内部にねじが切られた管状装着カラー２１８が、接続部材２０８の外側にねじの切られたスリーブ２１２に相互にねじ合わされて係合される。装着カラー２１８は、ケーブル送り装置のハウジング１２６の内側端１３０に軸線方向に受容される。装着カラー２１８には、外方に開いた環状窪み２２０が設けられており、窪み２２０は、ハウジング１２６上において直径方向に対向した対になって設けられた留め具１９４の内端を受容するよう適合されている。留め具１９４の内端と窪み２２０との大きさは、留め具が窪み内にて周辺方向に摺動するように構成されており、これにより、操作者は、可撓性案内管の軸線周りにケーブル送り装置１２２を回転することができる。
【００２４】
結合構成２０２は、装着ブラケット１２４のアダプタ１８８を受容するための軸線方向外側端と、ホース１９８の対応する端の下に配置される架台２２６を提供するべく細くされている軸線方向内側端とを有する装着カラー２２４を含んでいる。ホースクランプ２２８及び留め具２２９は、ホース１９８を架台２２６に固定し、かくして装着カラーに固定する。カラー２２４は、ばねにより偏倚される装着プランジャ２３０を支持する。装着プランジャ２３０は、その内部の開口を通ってアダプタ１８８の孔１９２のうちの一つまで放射方向に延在するポスト２３２を含む。プランジャは、ポスト２３２の放射方向外側端上に作動部材２３４を含み、ばねユニット２３６は、通常では、ポスト２３２を孔１９２の放射方向内方に偏倚する。従って、作動部材２３４を外方へ引いてポスト２３２を孔１９２から抜き、アダプタ１８８から装着カラー２２４を軸線方向に分離できるように該装着カラーを自由にすることによって、案内管及びケーブル送り装置は、容易にドレン清浄装置から取外すことができる、ということが理解されるであろう。図８から理解されるように、案内管がドレン清浄装置に装着されると、ドレン清浄ケーブル７０は、可撓性ホース及び結合構成を介して送り装置１２２を通って外方に延在するよう適合されている。送り装置は、前述の如く、ケーブルドラム組立体の回転に応答して軸線方向にケーブルを変位する態様で作動可能である。ホース１９８は、任意の望ましい長さで良く、好ましくは、約９０ｃｍ（３フィート）の長さを有し、この長さは、有利に、操作者が一方の手に送り装置１２２を保持し、清浄されるべきドレン又は廃棄管路内へケーブルの外端８４を向ける必要にあわせて案内管を湾曲することができる長さである。従って、操作者は、物理的にドレン清浄ケーブルに手を触れる必要なく、ドレン清浄作業を実施できる。
【００２５】
図９は、図７及び８に示されている可撓性案内管の変更を示しており、この点に関して、前の図に示されていた案内管組立体の装着カラー２１８に代わる手持ち柄要素２３８が示されている。手持ち柄２３８は、操作者の手に適応する軸方向長さ及び外直径を有する管状金属部材であり、また、その両端のうちの一方において、接続部材２０８の外側にねじが切られたカラー２１２にねじ合わされて係合する内部ねじ２４０が設けられている。手持ち柄の他方の端には、放射方向外側に開いた周辺窪み２４２が設けられ、これは、送り装置ハウジング上の留め具１９４を受容し協働して、図７及び図８の実施例に関連した前記の如く、案内管の軸線周りの回転ができるように送り装置を支持する。
【００２６】
ここにおいては、本発明の好ましい実施例の構造及び構成要素の部分間の相互関係について非常に強調されているが、ここに開示された実施例の変更と共にその他の実施例が、本発明の概念から逸脱することなくなされることは理解されるだろう。この点に関し、可撓性案内管は、ケーブルドラム内のドレン清浄ケーブルの内端上のトルクアームと独立のドレン清浄装置に用いることができることは理解されるであろう。同様に、本発明によるトルクアームは、ドラムハウジング内に取外し可能に装着されたカートリッジとは実質的に対照的な、ケーブルドラム内に巻かれたケーブルの分離された端に関連して用いることができるということも理解されるであろう。更に、ここに開示した指部及びナット以外の構造がドレン清浄ケーブル上にトルクアームを装着するためのカラーを提供するために用いることができることは理解されるであろう。本発明のその他の実施例と共に好ましい実施例のこれら及びその他の変更は、当業者にとって、ここの開示により、明らかであり、示唆されるものであり、これにより、前記の記述は、単に本発明の例示として解釈され、限定と解されるものではない、ということが理解されるであろう。
【図面の簡単な説明】
【図１】本発明によるドレン清浄装置の斜視図。
【図２】図１に示されたドレン清浄装置の分解斜視図。
【図３】ドラム組立体のケーブルカートリッジ要素の断面図であり、本発明によるケーブルの内端上のトルクアームを示している。
【図４】図３に示されているトルクアームの斜視図。
【図５】図１に示されているドレン清浄装置の枠要素上に装着された手動的に作動可能なケーブル送り装置を示す端面図。
【図６】図５の線６−６に沿って取られるケーブル送り装置の断面図。
【図７】ドレン清浄装置のための可撓性案内管及びケーブル送り装置取付け部の一つの実施例の斜視図。
【図８】図７の取付け部の断面図。
【図９】可撓性案内管取付け部の一つの変更された形態を示す断面図。
【符号の説明】
１０…ドレン清浄装置
１２…枠
１４…ケーブルドラム組立体
１６、２０…枠脚部
１８、２２…枠橋渡し部分
２４…装着及び支持板
２６…軸受支持部材
２８、３０…軸受スリーブ
３２…ドラムシャフト
３４…可逆モーター
３６、４０…プーリー
４２…無限ベルト
４４…モーター装着板
５２…ハウジング
５６…トグルスイッチ
５８…保護スリーブ
６０…電力コード
６２…ハンドル
６４…前方ケーブルドラムハウジング部材
６６…後方ケーブルドラムハウジング部材
６８…ケーブルドラムカートリッジ
７０…ドレン清浄ケーブル
８２…出口カラー
８４…ドレン清浄ケーブル外端
８６…ケーブルドラムカートリッジ外側周辺壁
８８…ケーブルドラムカートリッジ後方周辺壁
９２…ケーブルドラムカートリッジ前方端壁
９４…ケーブルドラムカートリッジ前方周辺壁
９６…ケーブルドラムカートリッジ周辺開口
９８…ドレン清浄ケーブル内端
１００…トルクアーム
１０２…トルクアーム装着端
１０４…トルクアーム第一の脚部
１０６…トルクアーム第二の脚部
１１０…トルクアーム装着端軸線
１１２…トルクアーム指部
１１４…トルクアームブロック
１２２…ケーブル送り装置
１２４…ケーブル送り装置装着ブラケット
１２６…ケーブル送り装置ハウジング
１３４…ケーブル通路
１３８、１４０…ケーブル駆動ロール
１５２…ケーブル駆動動作ロール支持部材
１５４…ケーブル駆動動作ロール
１５８…作動ノブ部材
１６０…ステム
１６２…圧縮ばね
１６６…作動レバー
１６８…装着脚部
１７０…作動レバーハンドル
１７２…作動レバー装着耳部
１７８…作動レバー指部
１８８…ケーブル送り装置装着ブラケット環状適合スリーブ
１９６…案内管組立体
１９８…ホース
２００、２０２…案内管結合構成
２０４…フェルール
２０６…フェルール内側スリーブ
２０８…接続部材
２１６…圧縮ナット
２１８…管状装着カラー
２２０…環状窪み
２２４…装着カラー
２２８…ホースクランプ
２３０…装着プランジャ
２３２…装着プランジャポスト
２３４…装着プランジャ作動部材
２３６…ばねユニット
２３８…手持ち柄要素
２４２…手持ち柄要素周辺窪み
【図１】
0004142206.tif 000002
【図２】
0004142206.tif 000003
【図３】
0004142206.tif 000004
【図４】
0004142206.tif 000005
【図５】
0004142206.tif 000006
【図６】
0004142206.tif 000007
【図７】
0004142206.tif 000008
【図８】
0004142206.tif 000009
【図９】
0004142206.tif 000010